(57)【特許請求の範囲】
【請求項１】
水平部の後端に背板部が起立され、かつ該水平部の前部に先端部が下方に垂直に折り曲げられた上ガラリ部と下ガラリ部とが設けられ、さらに該背板部の上部と上ガラリ部の水平部とに通気口が設けられた第１固定ルーバーと、通気口を有する水平部の先端部を下方に折り曲げてガラリ部が形成された第２固定ルーバーと、これ等の第１固定ルーバーと第２固定ルーバーとを上下に配列して組込むことが可能な側枠とよりなり、前記第２固定ルーバーの後端を第１固定ルーバーの背板部の所定位置に固定した状態のセット部材が複数前記側枠に組込まれており、前記第１固定ルーバーの下面及び背板部と第２固定ルーバーの上面とによって形成される通気部内に１枚の可動フラップが回動自在に設けられて該通気部の背板部の通気口を開閉し得るように構成されていることを特徴とした換気ガラリ。
【発明の詳細な説明】
【０００１】
【発明の属する技術分野】
本発明は強風時等に雨水が室内側に侵入することを防止し得る換気ガラリに係り、特に複数枚の固定ルーバー或いは複数のガラリ部を表側に有する固定ルーバーを用いて１個の通気部を形成すると共に、この通気部に１枚の可動フラップで該通気部の一部を閉鎖し得るように構成した換気ガラリに関するものである。
【０００２】
【従来の技術】
従来もこの種の換気ガラリについては、種々の技術が開発されている。例えば、本件特許出願人が開発した特公平３ー２９５１６号公報（第１公知技術）、或いは特開昭６３ー２５１５４８号公報（第２公知技術）、特開平５ー２９５９５９号公報（第３公知技術）、特公昭４９ー３５７８１号公報（第４公知技術）及び実開昭６３ー１６７５８９号公報（第５公知技術）等に示す技術が知られている。
【０００３】
前記第１公知技術は、固定ルーバーの一部に断面碗型溝条を設け、かつ可動フラップの一部に支持アームを介して丸棒を設け、これ等の丸棒を前記碗型溝条に回動自在に嵌入することによって、可動フラップが強風時に自動的に回動し得るようにした構造の技術である。また第２公知技術は、表面側に換気ガラリと網体とが設けられた外壁の内部の一部をくり抜いて換気フードを形成し、この換気フードに設けた開口部をダンパーで開閉するようにした技術である。
【０００４】
第３公知技術は、外壁の一部に通気路を形成し、この通気路をじゃま板で遮断するようにした技術である。第４公知技術は、通気窓の側枠に複数のスラット片を設けると共に相互間に通気路を設け、これ等の通気路を夫々可動式シャッター片で閉鎖し得るように構成した通気窓の技術である。更に第５公知技術は、窓の側枠に複数の固定式傾斜板を設けてその間に通気路を設け、かつ各傾斜板の間に可動式フラップを設け、このフラップによって通気路を閉鎖し得るようにした構造である。
【０００５】
【発明が解決しようとする課題】
然るに、前述の第１公知技術、第４公知技術及び第５公知技術に於いては、夫々１枚の固定ルーバーに対して１枚の可動フラップが組まれているために、１個の換気ガラリに形成される通気路の数が多くなり、全体の構成が複雑であり、構成部品数も多くなる等の問題があった。また、組立作業が複雑で効率悪く、しかも多数の通気部を個々に可動フラップで閉鎖しなければならないので、水密性が悪くなる問題もあった。その上に永年使用していると可動フラップの回動に問題が出来て来たりして、故障が生ずる可能性もあった。
【０００６】
更に、前述の第２公知技術及び第３公知技術は、夫々外壁内に通気用の開口を設け、この開口内に換気フードを形成し、かつ換気フード内に可動フラップ（タンパー）を取付けなければならず、作業が大がかりであり、構成が複雑で、コスト高になる問題があった。特に第２公知技術の場合には、換気ガラリとは全く別に換気ガラリが表面に取付けられた外壁自体に、前記換気フードを構成しなければならない問題があった。
【０００７】
本発明に係る換気ガラリは、前述の従来の問題点に鑑み開発された全く新しい技術であって、特に複数枚の固定ルーバーを組合せることによって１個の通気部を形成し、かつこの１個の通気部に１枚の可動フラップを取付けて通気部を開閉し得るように構成した全く新しい構造の換気ガラリを提供するものである。
【０００８】
【課題を解決するための手段】
本発明に係る換気ガラリは、前述の従来の問題点を根本的に改善した技術であって、その第１発明の要旨は、水平部の後端に背板部が起立され、かつ該水平部の前部に先端部が下方に垂直に折り曲げられた上ガラリ部と下ガラリ部とが設けられ、さらに該背板部の上部と上ガラリ部の水平部とに通気口が設けられた第１固定ルーバーと、通気口を有する水平部の先端部を下方に折り曲げてガラリ部が形成された第２固定ルーバーと、これ等の第１固定ルーバーと第２固定ルーバーとを上下に配列して組込むことが可能な側枠とよりなり、前記第２固定ルーバーの後端を第１固定ルーバーの背板部の所定位置に固定した状態のセット部材が複数前記側枠に組込まれており、前記第１固定ルーバーの下面及び背板部と第２固定ルーバーの上面とによって形成される通気部内に１枚の可動フラップが回動自在に設けられて該通気部の背板部の通気口を開閉し得るように構成されていることを特徴とした換気ガラリである。
【０００９】
【発明の実施の形態】
図により本発明に係る換気ガラリの一実施例を具体的に説明すると、図１は第１実施例の換気ガラリの縦断面図、図２は図１の構成要部を示す斜視説明図、図３は第２実施例の換気ガラリの縦断面図、図４は図３の構成要部を示す斜視説明図、図５は第３実施例の換気ガラリの縦断面図、図６は図５の構成要部を示す斜視説明図である。
【００１０】
図１及び図２に於いて、第１実施例の換気ガラリについて説明すると次の通りである。即ち、１は第１固定ルーバーであって、その水平部１ａの後端部は上方に垂直に折曲がって背板部１ｂを形成し、その水平部１ａの前部は途中から上下に分かれて上ガラリ部１ｃ、下ガラリ部１ｄを形成している。これ等のガラリ部１ｃ，１ｄはその先端部が下方に垂直に折り曲げられている。
【００１１】
２は第２固定ルーバーであって、前記第１固定ルーバー１の水平部１ａの上方に所定の間隔を保って水平に設けられ、その先端部は下方に折曲がってガラリ部２ａを形成し、かつ第２固定ルーバー２の後端は、前記第１固定ルーバー１の背板部１ｂの所定位置に固定されている。これ等の第１固定ルーバーと第２固定ルーバー２とは夫々押出成形方式によって、予め一体成形されている。
【００１２】
前記第１固定ルーバー１の背板部１ｂの上部には、複数個の通気口３が左右に並列して設けられている。また、上ガラリ部１ｃの水平部にも複数個の通気口４が設けられている。更に第２固定ルーバー２の水平部にも複数個の通気口５が設けられている。
【００１３】
本発明に係る第１実施例に係る換気ガラリは、前述の如く、第１固定ルーバー１と第２固定ルーバー２とが一体的に連結されており、かつ第１固定ルーバー１の上ガラリ部１ｃと第２固定ルーバー２とに夫々通気口４，５が設けられているので、図１及び図２に示す如く、これ等のセットを複数個順に連結して組合せることによって、上下の第１固定ルーバー１と第２固定ルーバーによって、その両者間に１個の通気部６を形成することが出来る。
【００１４】
即ち、上ガラリ部１ｃと第２固定ルーバー２とに通気口４，５が設けられているので、上下に配列された第１固定ルーバー１，１の下ガラリ部１ｄ、水平部１ａ及び背板部１ｂとによって１個の通気部６を形成することが出来る。この通気部６の前側は、下ガラリ部１ｄ、上ガラリ部１ｃ、第２固定ルーバー２のガラリ部２ａの相互間に設けられた隙間或は前記通気口４、５を介して屋外に連通されており、かつ通気部６の後側に背板部１ｂに設けられた通気口３によって室内側に連通されている。
【００１５】
従って、通常は第１固定ルーバー１の上下ガラリ部１ｃ，１ｄ及び第２固定ルーバー２のガラリ部２ａの隙間より流入した空気は、全て１個の通気部６を通過した後で、背板部１ｂの通気口３を通過して室内側に流入するように構成されている。
【００１６】
図１及び図２に於いて、７は可動フラップであって、第１固定ルーバー１の水平部１ａの下面に回動自在に取付けられており、台風等で屋外の気圧が高くなったような場合には、図に示すように前記通気部６を閉鎖し得るように構成されている。前記可動フラップ７の元端には丸棒部７ａが設けられ、かつ水平部１ａの下面には該丸棒７ａを回動自在に嵌入し得る碗状溝８が設けられており、該丸棒部７ａを碗状溝８に嵌入することによって、可動フラップ７は第１固定ルーバー１に簡単にかつ回動自在に取付けることが出来るように構成されている。
【００１７】
図中９は換気ガラリの側枠であって、これ等の側枠９の中に前述の第１固定ルーバー１と第２固定ルーバー２とを組込んで相互に連結することによって、本発明に係る換気ガラリを極めて簡単に組立構成することが出来る。
【００１８】
上記第１実施例に於いては、第１固定ルーバー１に第２固定ルーバー２を一体的に連結固定された構造の換気ガラリについて説明したが、これ等の固定ルーバー１，２を一体的に連結固定せずに、図３及び図４の第２実施例に示す如く、複数個の固定ルーバー１１，１２，１３を夫々換気ガラリの側枠１９に別々に取付けることによっても本発明の換気ガラリを構成することも出来る。
【００１９】
即ち、図３及び図４に於いて、１１は第１固定ルーバーであって、水平部１１ａの後端部を上方に垂直に折曲げて背板部１１ｂが形成され、かつ水平部１１ａの前端部を下方に垂直に折曲げて垂直部１１ｃが形成され、かつこの垂直部１１ｃの下端部を逆Ｌ状に折曲げてガラリ部１１ｄが形成されている。また、１２，１３は夫々第２固定ルーバー及び第３固定ルーバーであって、夫々の前端部には、下方に折曲がったガラリ部１２ａ，１３ａが形成されている。前記背板部１１ｂの上部には通気口１４が穿設されている。
【００２０】
第２実施例に係る換気ガラリを組立構成するに当たっては、図３に示す如く、側枠１９の中に夫々固定ルーバー１１，１２，１３を夫々組込み、かつこれ等の固定ルーバー１１，１２，１３を側枠１９にビス止めすることによって構成することが出来る。
【００２１】
第２実施例の場合には、側枠１９内で上下に配列された第１固定ルーバー１１のみによって１個の通気部１５を構成することが出来、この通気部１５の前側には、見せかけのガラリ部１２ａ，１３ａが設けられている。また、１６は可動フラップであって、第１固定ルーバー１１の垂直部１１ｃの裏面に回動自在に取付けられており、この可動フラップ１６によって通気部１５を閉鎖し得るように構成されている。
【００２２】
前記第１及び第２実施例に於いては、複数個の固定ルーバーを組合せて使用することによって、複数のガラリ部と１個の通気部とを構成したが、図５及び図６の第３実施例に示す如く、複数個のガラリ部２１ｄ，２１ｅ，２１ｆを前部に有する１種類の固定ルーバー２１を使用することによっても、本発明の換気ガラリを構成することが出来る。
【００２３】
図５及び図６に於いて、２１は固定ルーバーであって、その水平部２１ａの後端部には高さの短い背板部２１ｂが形成され、かつ水平部２１ａの前端部は下方に垂直に折曲がって垂直部２１ｃを形成し、かつこの垂直部２１ｃには夫々３個のガラリ部２１ｄ，２１ｅ，２１ｆが夫々上下に所定の間隔を保って固定されている。ガラリ部２１ｆの後端部には水平支持部２１ｇが連設されている。
【００２４】
前記垂直部２１ｃと水平支持部２１ｇとには夫々通気口２２，２３が設けられている。２４は可動フラップであって、前記垂直部２１ｃの裏面に回動自在に取付けられている。この第３実施例に於いては、固定ルーバー２１を側枠２５に組込んで取付けた場合に、上下の固定ルーバー２１，２１間に１個の通気部２６を形成することが出来、かつこの通気部は前記可動フラップ２４によって閉鎖することが出来るように構成されている。また、第３実施例の場合には、固定ルーバー２１の背板部２１ｂの高さが小さいので、これ等を上下に配置した場合には、背板部２１ｂ，２１ｂ間に通気口となる隙間が自動的に形成されるように構成されている。
【００２５】
【発明の効果】
本発明に係る換気ガラリは、上述の構造と作用とを有するので、次のような多大な効果を有している。
【００２６】
本発明に於ては、水平部の後端に背板部を設けかつ該水平部の前部に先端部が下方に垂直に折り曲げられた上ガラリ部と下ガラリ部とが設けられた第１固定ルーバーと、水平部の先端部を下方に折り曲げてガラリ部を形成した第２固定ルーバーとを上下に配列して側枠内に組み込んで構成するので、構成部品の点数を著しく削減して、製造時の加工工数を少なくし、作業能率を上げることが出来る。
【００２７】
前記第１固定ルーバーの背板部の上部と上ガラリ部の水平部とに通気口を設けかつ第２固定ルーバーの水平部に通気口を設けたので、第１固定ルーバーの下面及び背板部と第２固定ルーバーの上面とによって通気部を形成することが出来、かつこの通気部に可動フラップを回動自在に設けることによって、該通気部を開閉することが出来る。
【００２８】
前述の如く、２つの固定ルーバーに設けられた合計３個のガラリ部に対応して１個の通気部を形成するので、ガラリ部の数よりも少ない数の通気部を形成することが出来、これによって換気ガラリの水密性を向上させることが出来る。また、ガラリ部全体の面積に比較して小さな面積を有する通気部を形成することが出来る。さらに、ダミーのガラリ部を設けることが出来、ガラリピッチ、デザインの調整が簡単に行うことが出来る等の効果を有するものである。
【図面の簡単な説明】
【図１】  第１実施例の換気ガラリの縦断面図である。
【図２】  図１の構成の要部を示す斜視説明図である。
【図３】  第２実施例の換気ガラリの縦断面図である。
【図４】  図３の構成の要部を示す斜視説明図である。
【図５】  第３実施例の換気ガラリの縦断面図である。
【図６】  図５の構成の要部を示す斜視説明図である。
【符号の説明】
1,2,11,12,13,21      …固定ルーバー
1a,11a,21a           …水平部
1b,11b,21b           …背板部
1c,1d,2a,11d,12a     …ガラリ部
13ａ,21d,21e,21f     …ガラリ部
3,4,5,14,22,23       …通気口
6,15,26              …通気部
7,16,24              …可動フラップ
7a                   …丸棒部
８                   …碗状溝
9,19,25              …側枠
21g                  …水平支持部
【図１】
0003647557.tif 000002
【図２】
0003647557.tif 000003
【図３】
0003647557.tif 000004
【図４】
0003647557.tif 000005
【図５】
0003647557.tif 000006
【図６】
0003647557.tif 000007